(57)【要約】【課題】  疲労を軽減し操作時の姿勢を良くすることができるマウスの提供。【解決手段】  マウス１は、端末に接続して使用する。マウス１は、５本の指のうち親指１１と、人差し指１２と、が位置する第１領域２と、５本の指のうち少なくとも小指１５が位置し、クリックボタン部５を有する第２領域３と、第１領域２と、前記第２領域３と、を区画する仕切部４と、を有している。第２領域３において、小指１５でクリックボタン部５を押下する。【選択図】図２
2019235639.tif 000002
【特許請求の範囲】
【請求項１】
端末に接続して使用するマウスであって、
５本の指のうち少なくとも親指と、人差し指と、が位置する第１領域と、
５本の指のうち少なくとも小指が位置し、クリックボタン部を有する第２領域と、
前記第１領域と、前記第２領域と、を区画する仕切部と、を有し、
前記第２領域の前記小指で前記クリックボタン部を押下することを特徴とするマウス。
【請求項２】
前記仕切部は、上方に突出した仕切壁であって、
前記第１領域には前記親指と、前記人差し指と、中指と、が位置し、前記第２領域には薬指と、前記小指と、が位置し、
前記クリックボタン部は、右クリックボタンと、左クリックボタンと、から構成され、
前記第２領域の前記薬指の位置に前記左クリックボタンが配置され、前記小指の位置に前記右クリックボタンが配置されていることを特徴とする請求項１に記載のマウス。
【請求項３】
前記仕切部は、上方に突出した仕切壁であって、
前記親指が位置する第１溝部と、前記人差し指が位置する第２溝部と、中指が位置する第３溝部と、薬指が位置する第４溝部と、前記小指が位置する第５溝部と、が形成され、
前記第１領域には、前記第１溝部と、前記第２溝部と、前記第３溝部と、が位置し、
前記第２領域には、前記第４溝部と、前記第５溝部と、が位置していることを特徴とする請求項１に記載のマウス。
【請求項４】
前記クリックボタン部は、右クリックボタンと、左クリックボタンと、から構成され、
前記右クリックボタンの押圧方向は、前記左クリックボタンの押圧方向と交差することを特徴とする請求項１に記載のマウス。
【請求項５】
前記第１領域には前記親指と、前記人差し指と、が位置し、前記第２領域には前記小指が位置し、前記仕切部には中指と薬指とが位置し、
前記クリックボタン部は、前記第１領域に配置される左クリックボタンと、前記第２領域に配置される右クリックボタンと、を有し、
前記第１領域の前記人差し指の位置に前記左クリックボタンが配置され、
前記第２領域の前記小指の位置に前記右クリックボタンが配置され、
前記仕切部は、前記中指と薬指とに把持されていることを特徴とする請求項１に記載のマウス。
【発明の詳細な説明】
【技術分野】
【０００１】
本発明はマウスに関し、特にコンピュータ等の端末に接続される入力装置であるマウスに関する。
【背景技術】
【０００２】
従来より、コンピュータ等の端末に接続して入力装置として機能するマウスが知られている（例えば、特許文献１）。マウスは、親指と人指し指とを支持する複数の支持部と、マウス操作時に親指の少なくとも一部を下から支える支持面と、を有している。親指の少なくとも一部が支持面に下から支えられているため、マウス使用時における親指の疲労を緩和することができる。【０００３】
また、マウス使用時の疲労を軽減するための、マウス用疲労防止具が知られている（例えば、特許文献２）。マウス用疲労防止具では、マウスを把持したときに指と交差する押嵌部が設けられている。マウス用疲労防止具をマウスに載置し、各指を押嵌部に嵌合させてマウスを把持することにより、マウス作業時の疲労を軽減することができる。
【先行技術文献】
【特許文献】
【０００４】
【特許文献１】特開２０１７−２２００７１号公報
【特許文献２】特開２００４−７８３４６号公報
【発明の概要】
【発明が解決しようとする課題】
【０００５】
特許文献１に記載のマウスは親指を下から支える支持面を有しており、親指を支持面に載置した状態でマウスを移動させる。また、人差し指で右クリックボタンを押下し、中指で左クリックボタンを押下し、人差し指又は中指で右クリックボタンと左クリックボタンとの間に配置されたスクロールホイールを操作する。マウス操作では、親指、人差し指、及び中指を使用しており薬指及び小指はマウスに添える程度である。マウスを継続的に使用することによって手首が疲労する原因は、手首の曲げによってマウスを移動させることに起因するため、手首の疲労を軽減することができるマウスが求められていた。【０００６】
また、マウスを使用してコンピュータなどの端末を操作する時は着座した体勢であるため、長時間同じ姿勢が続くと自然と背が丸まってしまい、腰に負担がかかって腰痛の原因となっていた。【０００７】
そこで、本発明は、疲労を軽減し操作時の姿勢を良くすることができるマウスを提供することを目的とする。
【課題を解決するための手段】
【０００８】
上記課題を解決するために第１の発明は、端末に接続して使用するマウスであって、５本の指のうち少なくとも親指と、人差し指と、が位置する第１領域と、５本の指のうち少なくとも小指が位置し、クリックボタン部を有する第２領域と、前記第１領域と、前記第２領域と、を区画する仕切部と、を有し、前記第２領域の前記小指で前記クリックボタン部を押下することを特徴とするマウスを提供している。【０００９】
第２の発明では、第１の発明に記載されたマウスであって、前記仕切部は、上方に突出した仕切壁であって、前記第１領域には前記親指と、前記人差し指と、中指と、が位置し、前記第２領域には薬指と、前記小指と、が位置し、前記クリックボタン部は、右クリックボタンと、左クリックボタンと、から構成され、前記第２領域の前記薬指の位置に前記左クリックボタンが配置され、前記小指の位置に前記右クリックボタンが配置されていることを特徴としている。【００１０】
第３の発明では、第１の発明に記載されたマウスであって、前記仕切部は、上方に突出した仕切壁であって、前記親指が位置する第１溝部と、前記人差し指が位置する第２溝部と、中指が位置する第３溝部と、薬指が位置する第４溝部と、前記小指が位置する第５溝部と、が形成され、前記第１領域には、前記第１溝部と、前記第２溝部と、前記第３溝部と、が位置し、前記第２領域には、前記第４溝部と、前記第５溝部と、が位置していることを特徴としている。【００１１】
第４の発明では、第１の発明に記載されたマウスであって、前記クリックボタン部は、右クリックボタンと、左クリックボタンと、から構成され、前記右クリックボタンの押圧方向は、前記左クリックボタンの押圧方向と交差することを特徴としている。【００１２】
第５の発明では、第１の発明に記載されたマウスであって、前記第１領域には前記親指と、前記人差し指と、が位置し、前記第２領域には前記小指が位置し、前記仕切部には中指と薬指とが位置し、前記クリックボタン部は、前記第１領域に配置される左クリックボタンと、前記第２領域に配置される右クリックボタンと、を有し、前記第１領域の前記人差し指の位置に前記左クリックボタンが配置され、前記第２領域の前記小指の位置に前記右クリックボタンが配置され、前記仕切部は、前記中指と薬指とに把持されていることを特徴としている。
【発明の効果】
【００１３】
第１の発明によると、マウスが５本の指のうち少なくとも小指が配置されクリックボタン部を有する第２領域を有しているため、小指でクリックボタン部を操作することとなる。さらに、第１領域と第２領域とは仕切部によって区画されており、仕切部が障壁となって人差し指が第１領域から第２領域に侵入し難くなることにより人差し指がマウス操作に使用し難くなるとともに積極的に小指をマウス操作に使用させる状況を作り出している。人の手の指は、親指及び人差し指で操作を行うとお腹側に意識が向くこととなり、薬指及び小指によって操作を行うと背中側に意識が向くこととなる。中指は、中心的な指であり、中指での操作はお腹及び背中の両方に意識が向く。これは発明者が発見した理論であり、親指及び人差し指の筋肉はお腹側の筋肉と連動し、薬指及び小指の筋肉は背中側の筋肉と連動し、中指の筋肉はお腹側の筋肉及び背中側の筋肉と連動していることが原因と考えられる。【００１４】
従来のマウスを使用すると、親指及び人差し指でマウスの移動及びクリック動作を行うため、お腹側に意識が向くことによって背中への意識が薄くなり、背筋が曲がり意識も内向きの思想に陥りがちである。本件発明では、少なくとも小指によってクリック動作を行うため、マウスの移動動作についても自然と小指を中心に行うこととなる。そうすると、肩から背中に意識が向くこととなり、マウスを移動させる際に手首のみを使用するのではなく、腕から肩及び背中を使ってマウスを移動させることとなる。これによって、マウス操作時における腱鞘炎を抑制することができるとともに、背中に意識が向いているため背筋が伸び良い姿勢のままマウス操作を行うことができ、腰痛の改善効果も期待できる。さらに、背筋が伸びることによって体幹に外向きの開く力が働き、内向きの思想ではなく外向きの思想が可能となる。ここで、内向きの思想とは外部からの情報を遮断して脳内で過去のことなどを振り返るなど自省的になることをいい、外向きの思想とは視線を上げることによって外部の情報を取り込み前向きに将来のことを考えることをいう。本件発明のマウスを使用することで外向きの思想が優位になり、ポジティブな思考となる。【００１５】
第２の発明によると、第１領域と第２領域とは仕切壁によって区画されているため、仕切壁によって人差し指がマウス操作に使用できない状況を作り出すとともに、薬指と小指とによりマウスのクリック操作や移動を行う構造となっている。これにより、マウス操作時における腱鞘炎を抑制することができるとともに、背中に意識が向いているため背筋が伸び良い姿勢のままマウス操作を行うことができ、腰痛の改善効果も期待できる。さらに、背筋が伸びることによって体幹に外向きの開く力が働き、内向きの思想ではなく外向きの思想で作業を行うことができる。【００１６】
第３の発明によると、薬指が位置する第４溝部及び小指が位置する第５溝部が第２領域に形成されているため、薬指及び小指によりマウスのクリック操作や移動を行う構造となっている。さらに、親指が第１溝部に位置し、人差し指が第２溝部に位置し、中指が第３溝部に位置しているため、親指、人差し指、及び中指がマウス操作に使用できない状況を作り出している。これにより、マウス操作時における腱鞘炎を抑制することができるとともに、背中に意識が向いているため背筋が伸び良い姿勢のままマウス操作を行うことができ、腰痛の改善効果も期待できる。さらに、背筋が伸びることによって体幹に外向きの開く力が働き、内向きの思想ではなく外向きの思想で作業を行うことができる。【００１７】
第４の発明によると、右クリックボタンの押圧方向は左クリックボタンの押圧方向と交差しているため、小指で右クリックボタンを押圧する場合にクリック操作を行い易い。【００１８】
第５の発明によると、仕切部を中指と薬指とで把持するため、親指及び中指がマウス操作に使用できない状況を作り出している。さらに、第２領域に右クリックボタンが配置されているため、マウス操作に積極的に小指を使用している。これにより、マウス操作時における腱鞘炎を抑制することができるとともに、背中に意識が向いているため背筋が伸び良い姿勢のままマウス操作を行うことができ、腰痛の改善効果も期待できる。さらに、背筋が伸びることによって体幹に外向きの開く力が働き、内向きの思想ではなく外向きの思想で作業を行うことができる。【００１９】
上述の発明により、疲労を軽減し操作時の姿勢を良くすることができるマウスを提供することができる。
【図面の簡単な説明】
【００２０】
【図１】本発明の第１の実施の形態によるマウスの斜視図。
【図２】本発明の第１の実施の形態によるマウスを把持したときの斜視図。
【図３】本発明の第１の実施の形態によるマウスを把持したときの正面図。
【図４】本発明の第２の実施の形態によるマウスの斜視図。
【図５】本発明の第２の実施の形態によるマウスを把持したときの斜視図。
【図６】本発明の第２の実施の形態によるマウスを把持したときの正面図。
【図７】本発明の第３の実施の形態によるマウスを把持したときの正面図。
【図８】本発明の第４の実施の形態によるマウスの斜視図。
【図９】本発明の第４の実施の形態によるマウスを把持したときの斜視図。
【発明を実施するための形態】
【００２１】
本発明の第１の実施の形態によるマウス１を図１乃至図３に基づき説明する。図３に示すように、上下左右方向を定義する。マウス１は、コンピュータやタブレットなどの端末に有線または無線で接続され入力装置として機能する。
【００２２】
マウス１は、第１領域２と、第２領域３と、仕切壁４と、クリックボタン部５と、を有している。図１に示すように、第１領域２と、第２領域３と、は仕切壁４によって区画されている。図２及び図３に示すように、第１領域２は、マウス１を手１０で把持したとき、親指１１と、人差し指１２と、が位置する領域である。第１領域２は、表面から上方に向けて突出する壁部２１を有しており、壁部２１によって親指１１を載置する位置と人差し指１２を載置する位置とが区画されている。図２及び図３に示すように、マウス１を手１０で把持したときには、親指１１と人差し指１２との間に壁部２１が位置し、人差し指１２は壁部２１と仕切壁４との間に位置する。
【００２３】
第２領域３は、仕切壁４に対して第１領域２の反対側に位置していて、クリックボタン部５を有している。換言すると、仕切壁４の左側に第１領域２が規定され、仕切壁４の右側に第２領域３が規定されている。図２及び図３に示すように、第２領域３は、マウス１を手１０で把持したとき、中指１３と、薬指１４と、小指１５と、が位置する領域である。
【００２４】
クリックボタン部５は、左クリックボタン５１と、右クリックボタン５２と、スクロールホイール５３と、から構成される。左クリックボタン５１は、いわゆるＯＫボタンとして用いられ、主に決定などの操作に用いられる。図２及び図３に示すように、マウス１を把持したとき左クリックボタン５１に中指１３が位置するため、ユーザは中指１３で左クリックボタン５１を操作する。
【００２５】
右クリックボタン５２は、いわゆるメニューボタンとして用いられ、主にポップアップメニューの表示などの操作に用いられる。図２及び図３に示すように、マウス１を把持したとき右クリックボタン５２に薬指１４及び小指１５が位置するため、ユーザは薬指１４又は小指１５で右クリックボタン５２を操作する。
【００２６】
スクロールホイール５３は、主に画面スクロールに用いられ、左クリックボタン５１と右クリックボタン５２との間に配置される。図２及び図３に示すように、マウス１を把持したときスクロールホイール５３は薬指１４に位置するため、ユーザは薬指１４でスクロールホイール５３を操作する。薬指１４でクリックボタン部５を操作することにより、マウス１の操作に主に薬指１４を使用することとなるため、ユーザはマウス１を移動させる際に無意識に手首ではなく腕や肩、背中を使って移動させることとなる。
【００２７】
仕切壁４は、図３に示すようにマウス１の表面から上方に向けて突出する壁形状をなし、マウス１の左右方向中央よりも僅かに左側に配置されている。仕切壁４は、マウス１を操作する際に人差し指１２を使用させないために設けられている。仕切壁４は壁部２１よりも上下方向に高いため、人差し指１２は仕切壁４が障害となって第２領域３に侵入し難くなるとともに第１領域２内であれば僅かに動かすことができる。換言すると、人差し指１２を第１領域２内に収めるために、仕切壁４と、仕切壁４よりも低い壁部２１と、が設けられている。仕切壁４の左側に第１領域２が規定され右側に第２領域３が規定されることにより、人差し指１２が位置する第１領域２が、クリックボタン部５が配置されている第２領域３と分断される。
【００２８】
人の手１０の５本の指のうち、親指１１及び人差し指１２で操作を行うとお腹側に意識が向くこととなり、薬指１４及び小指１５によって操作を行うと背中側に意識が向くこととなる。中指１３は、中心的な指であり、中指１３での操作はお腹及び背中の両方に意識が向く。これは発明者が発見した理論であり、親指１１及び人差し指１２の筋肉はお腹側の筋肉と連動していて、薬指１４及び小指１５の筋肉は背中側の筋肉と連動していて、中指１３の筋肉はお腹側の筋肉及び背中側の筋肉の両方と連動していることが原因となっている。ユーザがマウス１を使用する際は、仕切壁４の存在によって親指１１及び人差し指１２を使用しない構成となっており、必然的に残りの３本の指でマウス１を操作する必要がある。そうすると、必然的にユーザの意識は背中側に向くこととなり、腱鞘炎の抑制や良い姿勢の維持などの効果を生む。
【００２９】
このような構成によると、マウス１が５本の指のうち中指１３、薬指１４、及び小指１５が配置されクリックボタン部５を有する第２領域を有しているため、中指１３、薬指１４、及び小指１５でクリックボタン部５を操作することとなる。さらに、第１領域２と第２領域３とは仕切壁４によって区画されており、人差し指１２がマウス操作に使用できない状況を作り出している。
【００３０】
本実施の形態のマウス１を使用することにより、中指１３、薬指１４、及び小指１５によってクリック動作を行うため、マウス１の移動動作についても自然と中指１３、薬指１４、及び小指１５を中心に行うこととなる。そうすると、肩から背中に意識が向くこととなり、マウス１を移動させる際に手首のみを使用するのではなく、腕から肩及び背中を使ってマウス１を移動させることとなる。これによって、マウス操作時における腱鞘炎を抑制することができるとともに、背中に意識が向いているため背筋が伸び良い姿勢のままマウス操作を行うことができ、腰痛の改善効果も期待できる。さらに、背筋が伸びることによって体幹に外向きの開く力が働き、内向きの思想ではなく外向きの思想が可能となる。ここで、内向きの思想とは外部からの情報を遮断して脳内で過去のことなどを振り返るなど自省的になることをいい、外向きの思想とは視線を上げることによって外部の情報を取り込み前向きに将来のことを考えることをいう。本件発明のマウス１を使用することで外向きの思想が優位になり、ポジティブな思考となる。
【００３１】
次に、第２の実施の形態のマウス１０１について、図４乃至図６に基づいて説明する。図６に示すように、上下左右方向を定義する。第１の実施の形態と同様の構成については、同一の符号を付し説明を省略する。
【００３２】
マウス１０１は、第１領域１０２と、第２領域１０３と、仕切壁１０４と、クリックボタン部５と、を有している。図４に示すように、第１領域１０２と、第２領域１０３と、は仕切壁１０４によって区画されている。図５及び図６に示すように、第１領域１０２は、マウス１０１を手１０で把持したとき、親指１１と、人差し指１２と、中指１３と、が位置する領域である。第１領域１０２は、表面から上方に向けて突出する壁部１２１を有しており、壁部１２１によって人差し指１２を載置する位置と中指１３を載置する位置とが区画されている。さらに、上方に向けて突出し親指１１と人差し指１２とを区画する壁部を設けてもよい。仕切壁１０４は、本発明の仕切部に相当する。
【００３３】
第２領域１０３は、仕切壁１０４に対して第１領域１０２の反対側に位置している。換言すると、仕切壁１０４の左側に第１領域１０２が規定され、仕切壁１０４の右側に第２領域１０３が規定されている。図５及び図６に示すように、第２領域１０３は、マウス１０１を手１０で把持したとき、薬指１４と、小指１５と、が位置する領域である。
【００３４】
仕切壁１０４は、図６に示すようにマウス１０１の表面から上方に向けて突出する壁形状をなし、マウス１０１の左右方向中央よりも僅かに右側に配置されている。仕切壁１０４は、マウス１０１を操作する際に人差し指１２及び中指１３を使用させないために設けられている。仕切壁１０４は壁部１２１よりも高いため、人差し指１２及び中指１３は仕切壁１０４が障害となって第２領域１０３に侵入し難くなるとともに第１領域１０２内であれば僅かに動かすことができる。換言すると、人差し指１２及び中指１３を第１領域１０２内に収めるために、仕切壁１０４と、仕切壁１０４よりも低い壁部１２１と、が設けられている。仕切壁１０４の左側に第１領域１０２が規定され右側に第２領域１０３が規定されることにより、人差し指１２及び中指１３が位置する第１領域１０２が、クリックボタン部５が配置されている第２領域１０３と分断される。
【００３５】
図５及び図６に示すように、マウス１０１を把持したとき左クリックボタン５１に薬指１４が位置するためユーザは薬指１４で左クリックボタン５１を操作し、右クリックボタン５２に小指１５が位置するため、ユーザは小指１５で右クリックボタン５２を操作する。
【００３６】
このような構成によると、第１領域１０２と第２領域１０３とは仕切壁１０４によって区画されているため、人差し指１２及び中指１３を第１領域２から第２領域３に侵入し難くすることによって人差し指１２及び中指１３がマウス操作に使用できない状況を作り出すとともに、薬指１４及び小指１５によりマウス１０１のクリック操作や移動を行う構造となっている。これにより、マウス操作時における腱鞘炎を抑制することができるとともに、背中に意識が向いているため背筋が伸び良い姿勢のままマウス操作を行うことができ、腰痛の改善効果も期待できる。さらに、背筋が伸びることによって体幹に外向きの開く力が働き、内向きの思想ではなく外向きの思想で作業を行うことができる。第１の実施の形態では中指１３、薬指１４及び小指１５によってクリックボタン部５を操作していたが第２の実施の形態では薬指１４及び小指１５でクリックボタン部５を操作しているため、マウス１に比べてより強く背中の筋肉を意識することができる。これにより、第１の実施の形態のマウス１よりもさらに高い腱鞘炎の抑制効果、良い姿勢の維持効果、及び外向き思想の効果を得ることができる。
【００３７】
次に、第３の実施の形態のマウス２０１について、図７を参照して説明する。図７に示すように、上下左右方向を定義する。第１の実施の形態と同様の構成については、同一の符号を付し説明を省略する。
【００３８】
マウス２０１は、第１領域２０２と、第２領域２０３と、クリックボタン部２０５と、を有している。第１領域２０２には、マウス２０１を把持したときに親指１１が位置する第１溝部２１１と、人差し指１２が位置する第２溝部２１２と、中指１３が位置する第３溝部２１３と、が形成されている。第１溝部２１１、第２溝部２１２、及び第３溝部２１３は、いずれもマウス２０１の内側に窪むように形成され、親指１１、人差し指１２、及び中指１３をそれぞれ位置決めするために設けられている。第１溝部２１１と第２溝部２１２との間には斜め上方に突出し両者を区画する第１壁部２２１が設けられていて、第２溝部２１２と第３溝部２１３との間には上方に突出し両者を区画する第２壁部２２２が設けられている。第１壁部２２１及び第２壁部２２２は、第１領域２０２に設けられている。
【００３９】
第２領域２０３には、マウス２０１を把持したときに薬指１４が位置する第４溝部２１４と、小指１５が位置する第５溝部２１５と、が形成されている。第４溝部２１４及び第５溝部２１５は、いずれもマウス２０１の内側に窪むように形成されていて薬指１４及び小指１５をそれぞれ位置決めするために設けられている。クリックボタン部２０５は、第４溝部２１４及び第５溝部２１５に沿うように内側に窪んでいる。
【００４０】
第３溝部２１３と第４溝部２１４との間には上方に突出し両者を区画する第３壁部２２３が設けられていて、第４溝部２１４と第５溝部２１５との間には斜め上方に突出し両者を区画する第４壁部２２４が設けられている。第３壁部２２３と、第４壁部２２４と、は第２領域２０３に設けられている。つまり、第３壁部２２３の左側に第１領域２０２が規定され、第３壁部２２３の右側に第２領域２０３が規定されている。第３壁部２２３は、本発明の仕切部に相当する。なお、第１領域２０２を第１溝部２１１と第２溝部２１２とが形成された領域に規定し、第２領域２０３を第３溝部２１３と、第４溝部２１４と、第５溝部２１５と、が規定された領域に規定してもよい。この場合には、第２壁部２２２の左側に第１領域２０２が規定され、第２壁部２２２の右側に第２領域２０３が規定され、第２壁部２２２が本発明の仕切部に相当することとなる。
【００４１】
クリックボタン部２０５は、左クリックボタン２５１と、右クリックボタン２５２と、スクロールホイール２５３と、を有している。左クリックボタン２５１は、矢印Ａ１で示すように、薬指１４を下に押下することによりクリック操作が可能な構成となっている。右クリックボタン２５２は、矢印Ａ２で示すように、小指１５を左方向に押下することによりクリック操作が可能な構成となっている。換言すると、左クリックボタン２５１は上下方向に押圧されるボタンであって薬指１４を下方向に移動することにより押下され、右クリックボタン２５２は左右方向に押圧されるボタンであって小指１５を左方向に移動することにより押下される。
【００４２】
このような構成によると、薬指１４が位置する第４溝部２１４及び小指１５が位置する第５溝部２１５が第２領域２０３に形成されているため、薬指１４及び小指１５によりマウスのクリック操作や移動を行う構造となっている。さらに、親指１１が第１溝部２１１に位置し、人差し指１２が第２溝部２１２に位置し、中指１３が第３溝部２１３に位置しているため、第１壁部２２１、第２壁部２２２、及び第３壁部２２３が障壁となって親指１１、人差し指１２、及び中指１３がマウス操作に使用できない状況を作り出している。これにより、マウス操作時における腱鞘炎を抑制することができるとともに、背中に意識が向いているため背筋が伸び良い姿勢のままマウス操作を行うことができ、腰痛の改善効果も期待できる。さらに、背筋が伸びることによって体幹に外向きの開く力が働き、内向きの思想ではなく外向きの思想で作業を行うことができる。
【００４３】
このような構成によると、右クリックボタン２５２の押圧方向は左クリックボタン２５１の押圧方向と略直交しているため、小指１５で右クリックボタン２５２を押圧する場合にクリック操作を行い易い。
【００４４】
次に、本発明の第４の実施の形態について、図８及び図９を参照して説明する。上述の実施の形態と略同一の構成については、同一の符号を付し説明を省略する。
【００４５】
マウス３０１は、第１領域３０２と、第２領域３０３と、仕切部３０４と、クリックボタン部３０５と、を有している。図８に示すように、第１領域３０２と、第２領域３０３と、は仕切部３０４によって区画されている。換言すると、第１領域３０２と第２領域３０３との間に仕切部３０４が位置することにより、第１領域３０２と第２領域３０３とが左右方向に離間している。図９に示すように、第１領域３０２は、マウス３０１を手１０で把持したとき、親指１１と、人差し指１２と、が位置する領域である。第１領域３０２には、前方に湾曲するように突出した第１突起部３１２を備えている。第１突起部３１２には、クリックボタン部３０５の左クリックボタン３５１と、スクロールホイール３５３と、が設けられている。図９に示すように、左クリックボタン３５１は人差し指１２によって押下され、スクロールホイール３５３は親指１１によって操作される。
【００４６】
第２領域３０３は、仕切部３０４に対して第１領域３０２の反対側に位置している。換言すると、仕切部３０４の左側に第１領域３０２が規定され、仕切部３０４の右側に第２領域３０３が規定されている。図９に示すように、第２領域３０３は、マウス３０１を手１０で把持したとき、小指１５が位置する領域である。第２領域３０３には、前方に湾曲するように突出した第２突起部３１３を備えている。第２突起部３１３は第１突起部３１２よりも短く、クリックボタン部３０５の右クリックボタン３５２が設けられている。図９に示すように、右クリックボタン３５２は、小指１５によって押下される。
【００４７】
仕切部３０４は、後方に窪むように設けられていて、中指１３及び薬指１４が位置している。仕切部３０４には、下方に窪み中指１３と薬指１４とが載置される載置部３１４が設けられている。仕切部３０４は、中指１３及び薬指１４によって把持される形状をなしており、後方に窪んでいる。換言すると、仕切部３０４は、第１突起部３１２及び第２突起部３１３よりも後方に窪んでいる。仕切部３０４は、マウス３０１を操作する際に中指１３及び薬指１４を積極的に使用させないために設けられている。中指１３及び薬指１４で仕切部３０４を把持しているため、薬指１４で第２領域３０３の右クリックボタン３５２を操作することができない。仕切部３０４の左側に第１領域３０２が規定され右側に第２領域３０３が規定されることにより、親指１１及び人差し指１２が位置する第１領域１０２が、第２領域３０３と分断される。
【００４８】
図９に示すように、マウス３０１を把持したとき左クリックボタン３５１に人差し指１２が位置するためユーザは人差し指１２で左クリックボタン５１を操作し、右クリックボタン３５２に小指１５が位置するため、ユーザは小指１５で右クリックボタン５２を操作する。
【００４９】
このような構成によると、仕切部３０４を中指１３と薬指１４とで把持するため、親指１１及び中指１３がマウス３０１の操作に使用できない状況を作り出している。さらに、第２領域３０３に右クリックボタン３５２が配置されているため、マウス操作に積極的に小指１５を使用している。これにより、マウス操作時における腱鞘炎を抑制することができるとともに、背中に意識が向いているため背筋が伸び良い姿勢のままマウス操作を行うことができ、腰痛の改善効果も期待できる。さらに、背筋が伸びることによって体幹に外向きの開く力が働き、内向きの思想ではなく外向きの思想で作業を行うことができる。
【００５０】
本発明によるマウスは、上述した実施の形態に限定されず、特許請求の範囲に記載された発明の要旨の範囲内で種々の変更が可能である。
【００５１】
上述の実施の形態では、クリックボタン部５は左クリックボタン５１と右クリックボタン５２とスクロールホイール５３とを有していたが、これに限定されない。例えば、左クリックボタンと右クリックボタンのみから構成されてもよく、単一のボタンで構成されてもよい。
【００５２】
上述の実施の形態では、第１領域２は壁部２１を有していたが、さらに複数のボタンを有していてもよい。このとき、複数のボタンには、「戻る」、「進む」の機能を有することが望ましいがユーザが任意に設定することができる。
【００５３】
第３の実施の形態では、左クリックボタン２５１の押圧方向と右クリックボタン２５２の押圧方向は略直交していたが、これに限定されない。左クリックボタン２５１の押圧方向と右クリックボタン２５２の押圧方向は、互いに交差していればよい。
【００５４】
第３の実施の形態では、左クリックボタン２５１の押圧方向は左であり右クリックボタン２５２の押圧方向は下であったが、第１の実施の形態のマウス１又は第２の実施の形態のマウス１０１に当該構成を適用してもよい。
【００５５】
第４の実施の形態では、クリックボタン部３０５のスクロールホイール３５３の配置は、これに限定されず左クリックボタン３５１又は右クリックボタン３５２の近傍であってもよい。
【符号の説明】
【００５６】
１、１０１、２０１、３０１    マウス
２、１０２、２０２、３０２    第１領域
３、１０３、２０３、３０３    第２領域
４、１０４、２０４    仕切壁
３０４    仕切部
５、２０５、３０５    クリックボタン部
１０    手
１１    親指
１２    人差し指
１３    中指
１４    薬指
１５    小指
２１、１２１    壁部
５１、２５１、３５１    左クリックボタン
５２、２５２、３５２    右クリックボタン
５３、２５３    スクロールホイール
【図１】
2019235639.tif 000003
【図２】
2019235639.tif 000004
【図３】
2019235639.tif 000005
【図４】
2019235639.tif 000006
【図５】
2019235639.tif 000007
【図６】
2019235639.tif 000008
【図７】
2019235639.tif 000009
【図８】
2019235639.tif 000010
【図９】
2019235639.tif 000011
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
端末に接続して使用するマウスであって、
５本の指のうち少なくとも親指と、人差し指と、が位置する第１領域と、
５本の指のうち少なくとも小指が位置し、クリックボタン部を有する第２領域と、
前記第１領域と、前記第２領域と、を区画する仕切部と、を有し、
前記第２領域の前記小指で前記クリックボタン部を押下し、
前記小指の指先の位置に前記クリックボタン部が配置されていることを特徴とするマウス。
【請求項２】
前記仕切部は、上方に突出した仕切壁であって、
前記第１領域には前記親指と、前記人差し指と、中指と、が位置し、
前記第２領域には薬指と、前記小指と、が位置し、
前記クリックボタン部は、右クリックボタンと、左クリックボタンと、から構成され、
前記第２領域の前記薬指の指先の位置に前記左クリックボタンが配置され、前記小指の指先の位置に前記右クリックボタンが配置されていることを特徴とする請求項１に記載のマウス。
【請求項３】
前記仕切部は、上方に突出した仕切壁であって、
前記親指が位置する第１溝部と、前記人差し指が位置する第２溝部と、中指が位置する第３溝部と、薬指が位置する第４溝部と、前記小指が位置する第５溝部と、が形成され、
前記第１領域には、前記第１溝部と、前記第２溝部と、前記第３溝部と、が位置し、
前記第２領域には、前記第４溝部と、前記第５溝部と、が位置していることを特徴とする請求項１に記載のマウス。
【請求項４】
前記クリックボタン部は、右クリックボタンと、左クリックボタンと、から構成され、
前記右クリックボタンの押圧方向は、前記左クリックボタンの押圧方向と交差することを特徴とする請求項１に記載のマウス。
【請求項５】
前記第１領域には前記親指と、前記人差し指と、が位置し、前記第２領域には前記小指が位置し、前記仕切部には中指と薬指とが位置し、
前記クリックボタン部は、前記第１領域に配置される左クリックボタンと、前記第２領域に配置される右クリックボタンと、を有し、
前記第１領域の前記人差し指の指先の位置に前記左クリックボタンが配置され、
前記第２領域の前記小指の指先の位置に前記右クリックボタンが配置され、
前記仕切部は、前記中指と薬指とに把持されていることを特徴とする請求項１に記載のマウス。
【国際調査報告】
2019235639.tif 000012
2019235639.tif 000013